(57)【特許請求の範囲】
【請求項１】
冊子状媒体を搬送する搬送部と、
前記搬送部によって搬送される前記冊子状媒体の外形サイズを検出する検出部と、
前記冊子状媒体の搬送中に、前記冊子状媒体に挟まれた異物を前記冊子状媒体から引き出す異物引出部と、
を備え、
前記異物引出部は、搬送中の前記冊子状媒体の表面に当接するように付勢されたブレードを有し、
前記ブレードは、前記冊子状媒体の入排出口を開閉するシャッタである、媒体取扱装置。
【請求項２】
前記ブレードは、粗面処理された、又は、ゴムから形成された当接端部を有する、請求項１に記載の媒体取扱装置。
【請求項３】
前記ブレードは、櫛歯形状の当接端部を有する、請求項１に記載の媒体取扱装置。
【請求項４】
前記ブレードの幅は、前記冊子状媒体の幅と略同一である、請求項１から３のいずれか１項に記載の媒体取扱装置。
【請求項５】
冊子状媒体を搬送する搬送部と、
前記搬送部によって搬送される前記冊子状媒体の外形サイズを検出する検出部と、
前記冊子状媒体の搬送中に、前記冊子状媒体に挟まれた異物を前記冊子状媒体から引き出す異物引出部と、
前記冊子状媒体が前記異物引出部の下方を通過する際には、前記冊子状媒体の搬送速度を変化させるように、前記搬送部を制御する制御部と、
を備える、媒体取扱装置。
【請求項６】
冊子状媒体を搬送する搬送部と、
前記搬送部によって搬送される前記冊子状媒体の外形サイズを検出する検出部と、
前記冊子状媒体の搬送中に、前記冊子状媒体に挟まれた異物を前記冊子状媒体から引き出す異物引出部と、
前記冊子状媒体が前記異物引出部の下方を複数回通過するように、前記搬送部を制御する制御部と、
を備える、媒体取扱装置。
【請求項７】
２つの前記異物引出部を備える、請求項１から６のいずれか１項に記載の媒体取扱装置。
【請求項８】
前記冊子状媒体に印字する印字部をさらに備える、請求項１から７のいずれか１項に記載の媒体取扱装置。
【請求項９】
冊子状媒体を搬送する搬送部と、
前記搬送部によって搬送される前記冊子状媒体の外形サイズを検出する検出部と、
前記冊子状媒体の挿入を受け付ける入排出口と、
前記冊子状媒体に印字する印字部と、
前記搬送部を制御する制御部と、
を備え、
前記搬送部は、前記入排出口から前記印字部に向かって前記冊子状媒体を搬送する搬送方向に沿って、前記冊子状媒体を挟み込んで搬送する第１のローラ対及び第２のローラ対を有し、
前記第１のローラ対は、搬送方向上流側に配置され、
前記第２のローラ対は、搬送方向下流側に配置され、
前記制御部が前記第１のローラ対の回転方向を前記第２のローラ対の回転方向と同じ方向から逆の方向に切り替える制御を行うことにより、前記第１のローラ対が前記冊子状媒体に挟まれた異物を前記冊子状媒体から引き出す、媒体取扱装置。
【請求項１０】
前記第１のローラ対は、前記第１のローラ対の搬送力が、前記第２のローラ対の搬送力より小さくなるよう設けられる、請求項９に記載の媒体取扱装置。
【発明の詳細な説明】
【技術分野】
【０００１】
本発明は、冊子状媒体処理装置に関する。
【背景技術】
【０００２】
金融機関（消費者金融、銀行など）においては、紙幣や硬貨等の現金を入金する入金処理や現金を出金する出金取引等の各種取引の際に、取引内容等を記録するために、通帳が使用されている。詳細には、通帳は、顧客との間で各種取引を行うＡＴＭ（Ａｕｔｏｍａｔｉｃ  Ｔｅｌｌｅｒ  Ｍａｃｈｉｎｅ）等の取引装置や、金融機関のカウンタ内に設置された通帳発行装置等に挿入され、通帳の印字面には取引内容等の情報が印字される。従って、これらの取引装置や通帳発行装置等には、通帳の印字面に印字するための通帳記帳部が設けられている（例えば、特許文献１参照）。
【０００３】
通帳記帳部には、通帳を挿入する入排出口と、挿入された通帳を搬送する搬送部と、通帳の外形サイズを検出する検出部と、通帳に印字を行う印字部とが設けられている。詳細には、搬送部が入排出口に挿入された通帳を印字部へ搬送する際、検出部は、搬送中の通帳の外形サイズを検出し、検出された通帳の外形サイズに基づいて、通帳の印字面内の印字すべき印字位置を特定する。
【０００４】
ところで、通帳の間には意図しない異物である伝票や付箋紙が挟まることがあり、このような異物が挟まった状態で通帳が通帳記帳部に挿入されることがある。さらに、通帳から異物がはみ出している状態で通帳が挿入された場合には、上述の検出部は、はみ出した異物も通帳を構成する部分であると判断し、異物を含んだ、実際の通帳の外形とは異なる大きさの誤った外形サイズを検出する。このような場合、誤った外形サイズに基づいて、誤った印字位置の特定が行われることとなるため、印字が通帳の印字面の所定の欄からずれるといった印字位置不良が発生することとなる。そこで、従来の通帳記帳部においては、印字位置不良を避けるために、検出部が所定の範囲外の外形サイズを検出した場合には、通帳が異物を挟んでいると認識し、印字部による印字を中止するように制御を行っていた。
【先行技術文献】
【特許文献】
【０００５】
【特許文献１】特開２００５−２２５６０９号公報
【発明の概要】
【発明が解決しようとする課題】
【０００６】
しかしながら、上述の通帳の外形サイズの所定の範囲を、若干幅をもたせて設定した場合には、検出部が、異物がはさまった通帳を検出することができないという状況が生じることがある。例えば、異物が通帳から少しだけはみ出すように通帳に挟まっている場合には、はみ出した異物を含む外形サイズを検出しても、検出した外形サイズが上述の所定の範囲内にあった場合には、検出部は、通帳が異物を挟んでいることを認識することができない。そして、検出部は、実際の通帳とは少し異なる大きさの誤った外形サイズを検出し、誤った外形サイズに基づいて、誤った印字位置の特定が行われる。その結果、通帳記帳部の印字部が誤って特定された印字箇所に印字することとなるため、印字位置不良等の障害が発生する。
【０００７】
そこで、本発明は、上記問題に鑑みてなされたものであり、本発明の目的とするところは、印字位置不良の発生を避けることが可能な、新規かつ改良された媒体取扱装置を提供することにある。
【課題を解決するための手段】
【０００８】
上記課題を解決するために、本発明のある観点によれば、冊子状媒体を搬送する搬送部と、前記搬送部によって搬送される前記冊子状媒体の外形サイズを検出する検出部と、前記冊子状媒体の搬送中に、前記冊子状媒体に挟まれた異物を前記冊子状媒体から引き出す異物引出部とを備え、前記異物引出部は、搬送中の前記冊子状媒体の表面に当接するように付勢されたブレードを有し、前記ブレードは、前記冊子状媒体の入排出口を開閉するシャッタである、媒体取扱装置が提供される。
【００１０】
前記ブレードは、粗面処理された、又は、ゴムから形成された当接端部を有していてもよい。
【００１１】
前記ブレードは、櫛歯形状の当接端部を有してもよい。
【００１２】
前記ブレードの幅は、前記冊子状媒体の幅と略同一であってもよい。
【００１３】
上記課題を解決するために、本発明の他の観点によれば、冊子状媒体を搬送する搬送部と、前記搬送部によって搬送される前記冊子状媒体の外形サイズを検出する検出部と、前記冊子状媒体の搬送中に、前記冊子状媒体に挟まれた異物を前記冊子状媒体から引き出す異物引出部と、前記冊子状媒体が前記異物引出部の下方を通過する際には、前記冊子状媒体の搬送速度を変化させるように、前記搬送部を制御する制御部と、を備える、媒体取扱装置が提供される。
上記課題を解決するために、本発明の他の観点によれば、冊子状媒体を搬送する搬送部と、前記搬送部によって搬送される前記冊子状媒体の外形サイズを検出する検出部と、前記冊子状媒体の搬送中に、前記冊子状媒体に挟まれた異物を前記冊子状媒体から引き出す異物引出部と、前記冊子状媒体が前記異物引出部の下方を複数回通過するように、前記搬送部を制御する制御部と、を備える、媒体取扱装置が提供される。
【００１４】
前記媒体取扱装置は、２つの前記異物引出部を備えていてもよい。
【００１７】
前記媒体取扱装置は、前記冊子状媒体に印字する印字部をさらに備えてもよい。
【００１８】
上記課題を解決するために、本発明の他の観点によれば、冊子状媒体を搬送する搬送部と、前記搬送部によって搬送される前記冊子状媒体の外形サイズを検出する検出部と、前記冊子状媒体の挿入を受け付ける入排出口と、前記冊子状媒体に印字する印字部と、前記搬送部を制御する制御部とを備え、前記搬送部は、前記入排出口から前記印字部に向かって前記冊子状媒体を搬送する搬送方向に沿って、前記冊子状媒体を挟み込んで搬送する第１のローラ対及び第２のローラ対を有し、前記第１のローラ対は、搬送方向上流側に配置され、前記第２のローラ対は、搬送方向下流側に配置され、前記制御部が前記第１のローラ対の回転方向を前記第２のローラ対の回転方向と同じ方向から逆の方向に切り替える制御を行うことにより、前記第１のローラ対が前記冊子状媒体に挟まれた異物を前記冊子状媒体から引き出す、媒体取扱装置が提供される。
前記第１のローラ対は、前記第１のローラ対の搬送力が、前記第２のローラ対の搬送力より小さくなるよう設けられてもよい。
【発明の効果】
【００１９】
以上説明したように本発明によれば、印字位置不良の発生を避けることができる。
【図面の簡単な説明】
【００２０】
【図１】通帳Ｂの構成の一例を説明するための説明図である。
【図２】本発明の第１の実施形態に係る取引装置１０の斜視図である。
【図３】第１の実施形態に係る取引装置１０の制御系のブロック図である。
【図４】第１の実施形態に係る通帳記帳部４０を説明するための説明図（その１）である。
【図５】第１の実施形態に係る通帳記帳部４０を説明するための説明図（その２）である。
【図６】第１の実施形態に係る通帳記帳部４０を説明するための説明図（その３）である。
【図７】第１の実施形態に係る通帳記帳部４０を説明するための説明図（その４）である。
【図８】第１の実施形態の変形例１に係る異物引出部５１０、６１０を説明するための説明図である。
【図９】第１の実施形態の変形例３に係る通帳記帳部４２を説明するための説明図である。
【図１０】第２の実施形態に係る通帳記帳部４４を説明するための説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてフィードローラ対４１４ａ及びフィードローラ対４１４ｂのように区別する。ただし、実質的に同一の機能構成を有する複数の構成要素の各々を特に区別する必要がない場合、同一符号のみを付する。例えば、フィードローラ対４１４ａ及びフィードローラ対４１４ｂを特に区別する必要が無い場合には、単にフィードローラ対４１４と称する。
【００２３】
さらに、以下の説明において、略同一とは、数学的及び幾何学的に同一である場合だけを意味するのではなく、本発明の実施形態に係る装置の動作及び製造工程において許容される程度の違いがある場合も含むことを意味する。
【００２４】
以下に説明する実施形態は、金融機関の営業店に設置されているＡＴＭ等の取引装置に適用される。しかしながら、本実施形態は、上述のＡＴＭに適用されることに限定されるものではなく、例えば、金融機関の営業店のカウンタ内に設置される通帳発行装置、通帳印字装置等に適用されてもよい。
【００２５】
詳細には、以下に説明する実施形態は、上述の取引装置や通帳発行装置等に設けられた、通帳を取り扱う通帳記帳部に適用される。ここで、通帳Ｂとは、通帳Ｂの構成の一例を説明するための説明図である図１で示されるように、複数の紙状媒体１０４が冊子状にまとめられた冊子状媒体のことをいう。詳細には、通帳Ｂは、磁気ストライプを有する表紙１００を最外面として有し、さらに、当該表紙１００の内側に綴じられた、印字面１０２を有する複数の紙状媒体１０４を有する。通帳Ｂにおいては、印字面１０２が内側になるように、表紙１００は２つ折りに折られて閉じられており、通帳Ｂを通帳記帳部に挿入する際には、図１に示すように、印字面１０２が上方を向くように、表紙１００は開かれる。なお、以下の実施形態においては、冊子状媒体は、通帳Ｂに限定されるものではなく、例えば、商品券、金券、小切手、チケット、入場券、証書や証券等のような薄い紙状媒体を冊子状に綴じた媒体であってもよい。なお、以下の説明においては、通帳Ｂの表紙１００を２つ折りに閉じた場合の長手方向を通帳Ｂの左右方向又は幅方向と定義する。
【００２６】
また、以下の説明においては、異物は、通帳Ｂの複数の紙状媒体１０４の間に挟まれた小さな紙状媒体であり、例えば、伝票や付箋紙のことを指す。
【００２７】
＜＜第１の実施形態＞＞
＜取引装置１０の構成＞
まずは、第１の実施形態に係る取引装置１０の構成について、図２及び図３を参照しながら説明する。図２は、本実施形態に係る取引装置１０の斜視図である。図３は、本実施形態に係る取引装置１０の制御系のブロック図である。
【００２８】
取引装置（媒体取扱装置）１０は、例えば、顧客との間で各種取引を行うＡＴＭ等であり、銀行やコンビニエンスストア等の店舗に設置される。図２及び図３に示されるように、取引装置１０は、入力表示部２０と、カードリーダ部３０と、通帳記帳部４０と、紙幣入出金部５０と、硬貨入出金部６０と、制御部７０と、通信部８０と、を主に有する。
【００２９】
（入力表示部２０）
入力表示部２０は、取引装置１０の正面に向かい合うように位置する利用者（顧客等）に対して情報を表示する表示部、及び利用者からの入力操作を検出する入力部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、入力部としての機能は例えばタッチパネルにより実現される。なお、表示部及び入力部は、別個の部位として設けられていてもよい。
【００３０】
（カードリーダ部３０）
カードリーダ部３０は、取引装置１０の前面に設けられたカード入排出口に利用者が挿入したカードから情報を読み取る装置である。詳細には、カードリーダ部３０は、取引装置１０の利用者により挿入されたキャッシュカード等のカード状媒体から、磁気ストライプ及びＩＣ（Ｉｎｔｅｇｒａｔｅｄ  Ｃｉｒｃｕｉｔ）チップに書き込まれた媒体情報を読取ることができる。また、カードリーダ部３０は、カード状媒体等の磁気ストライプ及びＩＣチップに情報を書き込むこともできる。さらに、カードリーダ部３０は、明細票印刷機能を有し、取引結果などを明細票に印刷して利用者に対して明細票を発行することができる。なお、カードリーダ部３０は、カード状媒体から非接触方式で情報を読み取ることができるように構成されていてもよい。
【００３１】
（通帳記帳部４０）
通帳記帳部４０は、通帳Ｂに設けられた磁気ストライプの読取り及び書込み、並びに、通帳印字機能を有する。詳細には、通帳記帳部４０は、取引装置１０の前面に設けられた入排出口４０２（図４参照）に利用者が挿入した通帳Ｂの表紙１００（図１参照）に設けられた磁気ストライプから、口座番号等の情報を読取ることができ、さらに、当該磁気ストライプに取引情報等の情報を書き込むことができる。また、通帳記帳部４０は、外部装置等から取得した口座情報等を通帳Ｂの印字面１０２（図１参照）に印字することができる。なお、通帳記帳部４０の詳細については、後で説明する。
【００３２】
（紙幣入出金部５０及び硬貨入出金部６０）
紙幣入出金部５０及び硬貨入出金部６０は、取引装置１０の利用者の求めに応じて、後述する制御部７０の制御を受けて紙幣及び硬貨の入出金処理を行う。ここで、入金処理は、例えば利用者が取引装置１０の前面に設けられた紙幣入出金口に投入した紙幣及び硬貨入出金口に投入した硬貨に対して、紙幣及び硬貨の種類を識別するとともに紙幣及び硬貨の枚数を計数して収納する処理である。また、出金処理は、例えば利用者の操作に従って指定された金額に相当する紙幣及び硬貨を計数して紙幣入出金口及び硬貨入出金口に搬送して払いだす処理である。
【００３３】
（制御部７０）
制御部７０は、取引装置１０内に設けられた、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。この制御部７０は、データ格納用記憶装置に記憶されたプログラムに従って、図３に示すように、取引装置１０の各部を制御する機能を有する。より具体的には、制御部７０は、通帳記帳部４０内の機能部（例えば、後述する搬送部４０４）を制御することができる。
【００３４】
（通信部８０）
通信部８０は、例えば、通信ネットワークを介して、取引装置１０の外部の装置との間で通信を行う通信インタフェースである。例えば、通信部８０は取引装置１０内に設けられる。
【００３５】
なお、以下の説明においては、取引装置１０の正面が向く方向を前方向と定義し、その反対を後方向と定義し、さらに、取引装置１０の前側に対峙したときを基準として、左右方向及び上下方向を定義する。
【００３６】
＜通帳記帳部４０の構成＞
以上、本実施形態に係る取引装置１０の構成の一例について説明した。続いて、図４を参照して、本実施形態に係る通帳記帳部４０について説明する。図４は、本実施形態に係る通帳記帳部４０を説明するための説明図であって、詳細には、本実施形態に係る通帳記帳部４０の概略右側面図である。
【００３７】
通帳記帳部４０は、先に説明したように、取引装置１０の前面に設けられた、通帳Ｂの挿入を受け付ける入排出口４０２を有し、入排出口４０２から挿入された通帳Ｂに印字を行う。通帳記帳部４０は、図４に示されるように、入排出口４０２と、搬送部４０４と、印字部４０６と、検出部４０８と、異物引出部４１０とを主に有する。
【００３８】
（入排出口４０２）
入排出口４０２は、取引装置１０の前面に設けられた開口部であり、取引装置１０の利用者によって挿入される通帳Ｂを受付け、排出するための開口部である。入排出口４０２は、取引装置１０の前面から見た場合、通帳Ｂの左右方向の幅と略同一な横幅を有する。さらに、入排出口４０２には、挿入される通帳Ｂの挿入方向をガイドする図示しないガイド部材が設けられている。なお、通帳Ｂは、図１に示すように、その印字面１０２が上方を向くように開かれて、通帳Ｂの左右方向が入排出口４０２の横幅の方向に一致するようにして、入排出口４０２に挿入される。
【００３９】
（搬送部４０４）
搬送部４０４は、入排出口４０２に挿入された通帳Ｂを後述する印字部４０６へ搬送するための搬送機構であり、入排出口４０２から印字部４０６へと延伸する搬送路４０４ａと、入排出口４０２に挿入された通帳Ｂを、その上下方向から挟む込みながら印字部４０６へ搬送する複数のフィードローラ対４１４とを有する。詳細には、搬送部４０４は、搬送路４０４ａを挟んで、互いに対向するように配置された１対のローラ４１２からなるフィードローラ対４１４を複数有し、より具体的には、入排出口４０２から印字部４０６に向かって（すなわち、通帳Ｂの搬送方向に沿って）、フィードローラ対（第１のローラ対）４１４ａと、フィードローラ対（第２のローラ対）４１４ｂと、フィードローラ対４１４ｃとが順次設けられている。これらのフィードローラ対４１４は、図示しないモータ等の駆動手段によって回転し、通帳Ｂを、その上下方向から挟み込み搬送路４０４ａ上に搬送する。
【００４０】
（印字部４０６）
印字部４０６は、入排出口４０２の後側、すなわち上述の搬送部４０４の奥に設けられ、搬送部４０４によって入排出口４０２から搬送された通帳Ｂを印字する。詳細には、印字部４０６は通帳Ｂの印字面１０２と対向する印字ヘッド４１６を有し、印字ヘッド４１６は搬送された通帳Ｂの印字面１０２に対して印字を行う。例えば、印字ヘッド４１６は、ドットピンを有し、印字する情報に応じて選択的にドットピンを突出させることにより印字を行うことができる。なお、印字部４０６の印字機構は、特に限定されるものではなく、例えば、インクジェット方式及び熱転写方式で通帳Ｂに印字する機構であってもよい。
【００４１】
（検出部４０８）
検出部４０８は、挿入された通帳Ｂの外形サイズを検出するセンサである。検出部４０８は、搬送部４０４によって搬送される通帳Ｂを上下方向から挟むように設けられた一対のセンサからなるセンサ対４２０を１つ又は複数有する。例えば、図４の例においては、入排出口４０２から印字部４０６に向かって搬送部４０４に沿って、センサ対４２０ａとセンサ対４２０ｂとが順次設けられている。詳細には、入排出口４０２側のセンサ対４２０ａは、フィードローラ対４１４ａの後ろに設けられており、印字部４０６側のセンサ対４２０ｂは、フィードローラ対４１４ｂの前に設けられている。各センサ対４２０は、例えば、搬送部４０４を挟んで発光素子と受光素子とが配設された光学式のセンサであることができ、発光素子から受光素子に向かう光軸が通帳Ｂに遮られることにより、搬送中の通帳Ｂを検出する。より具体的には、センサ対４２０は、搬送中の通帳Ｂの前端部Ｂ１と後端部Ｂ２とを検出し（以下の説明においては、印字面１０２を上方にして開かれた通帳Ｂにおける左右方向に沿って延びる端部Ｂ１、Ｂ２のうち、最初に入排出口４０２に挿入される端部を後端部Ｂ２と呼び、最後に入排出口４０２に挿入される端部を前端部Ｂ１と呼ぶ）、センサ対４２０がこれらの端部Ｂ１、Ｂ２を検出したタイミングのずれと、搬送部４０４の搬送速度とを参照することにより、搬送中の通帳Ｂの外形サイズ、すなわち、通帳Ｂの前端部Ｂ１から後端部Ｂ２までの長さを検出することができる。
【００４２】
また、検出部４０８は、先に説明したように、検出した通帳Ｂの長さがあらかじめ設定された所定の範囲外であった場合には、制御部７０に対して所定の範囲外である旨を通知する。そして、制御部７０は、上記通知に基づき、印字部４０６による印字を中止するように搬送部４０４を制御する。なお、上記所定の範囲は、先に説明したように、通帳Ｂの外形サイズのばらつき等に対応するために、理想的な通帳Ｂの外形サイズを中心値として、外形サイズが若干大きな場合と若干小さな場合とを含むようにあらかじめ設定される。例えば、上記所定の範囲は、理想的な通帳Ｂの前端部Ｂ１から後端部Ｂ２までの長さを中心値として、前端部Ｂ１から後端部Ｂ２までの長さが若干長い場合と若干短い場合とを含むように、中心値から数ミリ程度の幅を持たせるように設定される。
【００４３】
（異物引出部４１０）
異物引出部４１０は、通帳Ｂの搬送中に、通帳Ｂに挟まれた異物Ｃを通帳Ｂから引き出すための機能部である。例えば、異物引出部４１０は、フィードローラ対４１４ａとフィードローラ対４１４ｂとの間に設けられ、且つ、回転軸４２２を中心に回動し、搬送中の通帳Ｂの印字面（表面）１０２（図１参照）に当接するブレード状の部材である。詳細には、異物引出部４１０は、搬送中の通帳Ｂの搬送を妨げることがない程度に搬送中の通帳Ｂの印字面１０２に端部が当接するように（以下の説明においては、印字面１０２に当接する異物引出部４１０の端部を当接端部４１０ａと呼ぶ）、図示しないスプリング等の付勢手段により図中時計周り（図４中矢印Ａで示す）に回転するように付勢されている。また、異物引出部４１０の左右方向の幅は、通帳Ｂの左右方向の幅と略同一であることが好ましい。
【００４４】
＜通帳記帳部４０の動作＞
以上、本実施形態に係る通帳記帳部４０の構成について説明した。続いて、図４から図７を参照しながら、本実施形態に係る通帳記帳部４０の動作について説明する。図４から図７は、本実施形態に係る通帳記帳部４０を説明するための説明図であって、詳細には、通帳記帳部４０の概略右側面図である。以下の説明においては、通帳Ｂは、異物Ｃを挟んだ状態で通帳記帳部４０の入排出口４０２に挿入される。さらに、当該通帳Ｂに挟まれた当該異物Ｃは、検出部４０８が当該異物Ｃも通帳Ｂを構成する部分であると判断して当該通帳Ｂの外形サイズを検出した場合に、検出された当該通帳Ｂの外形サイズが所定の範囲内であると認識される程度に、通帳Ｂの前端部Ｂ１から少しだけはみ出している状態にある。
【００４５】
まず、通帳Ｂが入排出口４０２に挿入された状態を図４に基づいて説明する。通帳Ｂが挿入され、通帳Ｂの後端部Ｂ２がフィードローラ対４１４ａに到達すると、フィードローラ対４１４ａは、通帳Ｂをその上下方向から挟む込みながら回動し、通帳Ｂを印字部４０６に向かって搬送する。
【００４６】
次に、通帳Ｂの後端部Ｂ２がセンサ対４２０ａの間を通過し、さらに、異物引出部４１０に到達した状態を図５に基づいて説明する。通帳Ｂが、フィードローラ対４１４ａによって搬送され、通帳Ｂの後端部Ｂ２がセンサ対４２０ａの間を通過すると、当該通過により、センサ対４２０ａは通帳Ｂの後端部Ｂ２を検出する。センサ対４２０ａが通帳Ｂの後端部Ｂ２を検出したことに基づいて、異物引出部４１０は、通帳Ｂが搬送される搬送路４０４ａを閉塞するように移動する。さらに、異物引出部４１０が搬送路４０４ａを閉塞する位置に移動した後には、異物引出部４１０は、図示しない付勢手段により、図中時計周りに回動するように（図４中矢印Ａを参照）付勢状態に維持される。そして、通帳Ｂの後端部Ｂ２が異物引出部４１０に到達した後には、搬送中の通帳Ｂは、異物引出部４１０を押し上げ（図５中矢印Ｄで示す）、異物引出部４１０の当接端部４１０ａと搬送路４０４ａとの間を通過する。その際には、異物引出部４１０が図中時計周りに回動するように付勢されているため、異物引出部４１０の当接端部４１０ａは搬送中の通帳Ｂの印字面１０２に当接するようになる。
【００４７】
さらに、通帳Ｂの後端部Ｂ２がセンサ対４２０ｂの間及びフィードローラ対４１４ｂの間を通過し、さらに、フィードローラ対４１４ｃに到達した状態を図６に基づいて説明する。通帳Ｂが、フィードローラ対４１４ａによって搬送され、通帳Ｂの後端部Ｂ２がセンサ対４２０ｂの間を通過すると、当該通過により、センサ対４２０ｂは通帳Ｂの後端部Ｂ２を検出する。さらに、通帳Ｂの後端部Ｂ２がフィードローラ対４１４ｂに到達すると、今度は、フィードローラ対４１４ｂが通帳Ｂを上下方向から挟む込みながら回動し、通帳Ｂをフィードローラ対４１４ｃへ向かって搬送する。この際、通帳Ｂが搬送されることにより、図中時計周りに付勢されている（図６中矢印Ｅで示す）異物引出部４１０の当接端部４１０ａは、通帳Ｂの前端部Ｂ１からはみ出した異物Ｃと当接するようになる。その結果、異物Ｃは、異物引出部４１０の当接端部４１０ａと搬送路４０４ａとの間に挟まれることとなる。
【００４８】
そして、通帳Ｂの後端部Ｂ２がフィードローラ対４１４ｃの間を通過し、さらに、通帳Ｂの前端部Ｂ１がセンサ対４２０ｂの間を通過した状態を図７に基づいて説明する。異物Ｃは、異物引出部４１０の当接端部４１０ａと搬送路４０４ａとの間に挟まれているため、通帳Ｂの搬送が継続する中で、通帳Ｂの前端部Ｂ１から大きく引き出される。その結果、センサ対４２０ｂは、通帳Ｂの通過により通帳Ｂを検出しなくなった後にも、引き出された異物Ｃを継続して検出することとなり、センサ対４２０ｂは、前端部Ｂ１から大きくはみ出した異物Ｃも通帳Ｂを構成する部分であるとして、実際の通帳Ｂの前端部Ｂ１から後端部Ｂ２までの長さよりも長い誤った通帳Ｂの長さを検出する。従って、引き出された異物Ｃにより、検出された通帳Ｂの長さは上記所定の範囲外となるため、センサ対４２０ｂは、通帳Ｂが異物Ｃを挟んでいることを認識し、制御部７０に対して検出した通帳Ｂの長さが所定の範囲外である旨を通知する。さらに、制御部７０は、上記通知に基づき、印字部４０６による印字を中止するように搬送部４０４等を制御する。
【００４９】
なお、通帳Ｂに異物Ｃが挟まれていない場合には、センサ対４２０ｂにより、実際の通帳Ｂの前端部Ｂ１から後端部Ｂ２までの長さが検出され、さらに、検出された長さに基づいて、印字位置が特定される。そして、特定された印字位置が印字部４０６の印字ヘッド４１６の直下に位置するように通帳Ｂが搬送部４０４により搬送され、印字ヘッド４１６は特定された印字位置に印字を行う。
【００５０】
ところで、先に説明したように、通帳Ｂは、複数の紙状媒体１０４を冊子状にまとめた形態を有しているため、通帳Ｂの紙状媒体１０４の間に意図しない異物Ｃである伝票や付箋紙が挟まることがある。このような異物Ｃが挟まれた状態で通帳Ｂを通帳記帳部に挿入した場合には、検出部は、異物Ｃも通帳Ｂを構成する部分であると判断し、実際の通帳Ｂの前端部Ｂ１から後端部Ｂ２までの長さとは異なる長さの誤った通帳Ｂの長さを検出する。そして、このような場合、誤った長さに基づいて誤った印字位置の特定が行われることとなるため、特定された印字位置に印字された印字が通帳Ｂの印字面１０２の所定の欄からずれるといった印字位置不良が発生することとなる。そこで、従来の通帳記帳部においては、印字位置不良を避けるために、検出部が所定の範囲外の通帳Ｂの長さを検出した場合には、印字部による印字を中止するように制御を行っていた。
【００５１】
また、通帳Ｂは、複数の紙状媒体１０４を冊子状にまとめた形態であることから、その外形サイズには多少のばらつきがある。さらに、通帳Ｂの長さを検出する際の通帳Ｂの搬送速度は、数学的に一定値を保って安定しているとは限らず、若干変化していることがある。従って、上述の搬送速度の不安定性と、上述の通帳Ｂの外形サイズのばらつきとを加味し、通帳Ｂの前端部Ｂ１から後端部Ｂ２までの長さについての所定の範囲は、理想的な通帳Ｂの長さを中心値として、長さが若干長い場合と若干短い場合とを含むように設定されている。
【００５２】
しかしながら、上述の通帳Ｂの長さの所定の範囲を理想的な通帳Ｂの長さを中心値として若干幅をもたせるように設定したことに起因して、検出部が、異物Ｃがはさまった通帳Ｂを検出することができないことがある。例えば、検出部が異物Ｃを検出できない状況とは、異物Ｃが通帳Ｂの外形から少しだけはみ出すように通帳Ｂに挟まっている場合である。このような場合、はみ出した異物Ｃも通帳Ｂを構成する部分であると判断して通帳Ｂの長さを検出しても、検出した通帳Ｂの長さが上述の所定の範囲内にあった場合には、検出部は、通帳Ｂが異物Ｃを挟んでいることを検出することができない。そして、検出部は、実際の通帳Ｂの長さとは異なる大きさの誤った長さを検出し、誤った長さに基づいて誤った印字位置の特定が行われることとなる。その結果、通帳記帳部の印字部が誤って特定された印字箇所に印字することとなるため、印字位置不良等の障害が発生する。
【００５３】
一方、本実施形態においては、通帳Ｂに挟まった異物Ｃを通帳Ｂから引き出す異物引出部４１０を設けることにより、検出部４０８では検出できない程度に通帳Ｂからはみ出した異物Ｃを通帳Ｂから大きくはみ出すように引き出すことができる。従って、本実施形態によれば、異物Ｃを通帳Ｂから引き出すことにより、検出部４０８によって検出される通帳Ｂの長さは所定の範囲外となるため、検出部４０８は通帳Ｂに異物Ｃが挟まれていることを認識することが可能となる。そして、検出部４０８が検出された通帳Ｂの長さが所定の範囲外である旨を制御部７０に通知することにより、制御部７０は、当該通知に基づいて、印字処理を停止する制御を実施することができる。
【００５４】
すなわち、本実施形態においては、異物引出部４１０により通帳Ｂに挟まった異物Ｃを引き出すことにより、検出部４０８は、通帳Ｂが異物Ｃを挟んでいることを認識することができるようになる。従って、本実施形態によれば、検出部４０８の上記認識に基づいて、印字処理を停止することができることから、印字位置不良等の障害の発生を避けることができる。
【００５５】
＜＜変形例１＞＞
なお、本実施形態においては、異物引出部４１０の構成は、図４から図７に記載されている構成に限定されることはなく、他の構成であってもよい。そこで、本実施形態の変形例１として、他の構成を持つ異物引出部５１０、６１０について説明する。
【００５６】
図８を参照しながら、変形例１に係る異物引出部５１０、６１０の詳細構成について説明する。図８は変形例１に係る異物引出部５１０、６１０を説明するための説明図であり、詳細には、図８（ａ）は異物引出部５１０の正面図であり、図８（ｂ）は異物引出部６１０の正面図である。
【００５７】
本変形例１の異物引出部５１０、６１０は、上述の異物引出部４１０と同様に、フィードローラ対４１４ａとフィードローラ対４１４ｂとの間に設けられ、且つ、回転軸４２２（図４参照）を中心に回転し、通帳Ｂの印字面１０２に当接するように付勢されたブレード状の部材である。詳細には、図８（ａ）に示す異物引出部５１０においては、粗面処理された当接端部５１０ａが設けられている。異物引出部５１０によれば、当接端部５１０ａを粗面処理することにより、当接端部５１０ａと異物Ｃとの間の摩擦負荷を増加させて当接端部５１０ａと異物Ｃとの密着性を高め、異物引出部５１０が異物Ｃを引き出しやすくすることができる。また、当接端部５１０ａをゴム等の材料により形成しても、同様の効果を得ることができる。さらに、当接端部５１０ａとともに異物Ｃを挟む込む搬送路４０４ａについても、粗面処理にしたり、ゴム等の材料によって形成したりすることにより、異物引出部５１０が異物Ｃをより引き出しやすくすることができる。
【００５８】
また、他の構成例としての図８（ｂ）に示す異物引出部６１０においては、櫛歯形状の当接端部６１０ａが設けられている。そして、この櫛歯形状の当接端部６１０ａを有する異物引出部６１０を適用する際には、この異物引出部６１０とともに異物Ｃを挟み込む搬送路４０４ａのうち、当接端部６１０ａと対向する部分を、当接端部６１０ａの櫛歯形状と係合するような櫛歯形状とすることが好ましい。このような櫛歯形状の異物引出部６１０及び搬送路４０４ａを用いることにより、より確実に、異物Ｃを挟み込み、異物Ｃを通帳Ｂから引き出すことができる。なお、異物引出部５１０、６１０の左右方向の幅は、上述の異物引出部４１０と同様に、通帳Ｂの左右方向の幅と略同一であることが好ましい。
【００５９】
＜＜変形例２＞＞
また、第１の実施形態の異物引出部４１０、５１０、６１０に、通帳記帳部４０の入排出口４０２を開閉するシャッタとしての機能を持たせてもよい。そこで、本実施形態の変形例２として、シャッタとしての機能を有する異物引出部４１０について説明する。なお、本変形例においては、本変形例に係る通帳記帳部４０及び異物引出部４１０の構成は、第１の実施形態の通帳記帳部４０及び異物引出部４１０と共通であり、従って、第１の実施形態の通帳記帳部４０及び異物引出部４１０の説明及び図４から図７を参照し得る。
【００６０】
以下に、本変形例に係る通帳記帳部４０の動作について説明する。まず、通帳Ｂが入排出口４０２に挿入される前には、制御部７０によって図示しないシャッタ駆動機構が制御され、シャッタ駆動機構に接続されたブレード状の異物引出部４１０は、その当接端部４１０ａが搬送路４０４ａと当接し、搬送路４０４ａを閉塞する状態に固定されている。このようにすることで、異物引出部４１０が搬送路４０４ａを閉塞するシャッタとして機能し、取引装置１０の内部を保護することができる。
【００６１】
そして、通帳Ｂが、入排出口４０２に挿入され、搬送部４０４によって搬送されることにより、通帳Ｂの後端部Ｂ２がセンサ対４２０ａによって検出される。センサ対４２０ａによって後端部Ｂ２が検出されることにより、制御部７０は、通帳Ｂの入排出口４０２への挿入を認識し、さらに、上述のシャッタ駆動機構（図示省略）を制御して、異物引出部４１０の上記固定を解除する。また、本変形例においては、上記固定が解除された異物引出部４１０は、搬送中の通帳Ｂの搬送を妨げることがない程度に搬送中の通帳Ｂの印字面１０２に当接端部４１０ａが当接するように、図示しないスプリング等の付勢手段により図中時計周り（図４中矢印Ａで示す）に回転するように付勢されている。したがって、通帳Ｂの後端部Ｂ２が異物引出部４１０に到達した後には、第１の実施形態と同様に、搬送中の通帳Ｂは、異物引出部４１０を押し上げ（図５中矢印Ｄで示す）、当接端部４１０ａと搬送路４０４ａとの間を通過し、当接端部４１０ａは搬送中の通帳Ｂの印字面１０２に当接するようになる。なお、この後の通帳記帳部４０の動作は、上述の第１の実施形態と同様であるため、ここでは説明を省略する。
【００６２】
ところで、取引装置１０は内部に紙幣や硬貨を収納しているため、取引装置１０の内部は、外部から触れることができないように保護されていることが好ましい。従って、通帳Ｂが挿入される入排出口４０２に対しても、入排出口４０２を開閉するシャッタを設け、入排出口４０２を介して取引装置１０の内部に触れることができないような構成にすることが好ましい。そこで、本変形例によれば、異物Ｃを引き出す異物引出部４１０に対して、入排出口４０２を開閉するシャッタとしての機能を持たせることにより、少ない部品を用いて、取引装置１０の内部を保護しつつ、印字位置不良等の障害の発生を避けることができる。なお、本変形例においては、異物引出部４１０は、シャッタとしての機能を担うことに限定されるものではなく、例えば、通帳Ｂの搬送先を変えるための切替ブレードとしての機能を担うようにしてもよい。
【００６３】
＜＜変形例３＞＞
また、上述の第１の実施形態においては、通帳Ｂの前端部Ｂ１からはみ出した異物Ｃを引き出すことができる機構を有する通帳記帳部４０について説明した。しかしながら、異物Ｃは、通帳Ｂの後端部Ｂ２からはみ出るように通帳Ｂに挟まれていることもある。そこで、以下に説明する変形例４においては、後端部Ｂ２からはみ出した異物Ｃを引き出すことができる機構を有する通帳記帳部４２について、図９を参照して説明する。図９は、変形例３に係る通帳記帳部４２を説明するための説明図であり、詳細には、通帳記帳部４２の構成を示す概略右側面図である。
【００６４】
本変形例の通帳記帳部４２は、上述の第１の実施形態の通帳記帳部４０と同様に、先に取引装置１０の前面に設けられた入排出口４０２を有し、入排出口４０２から挿入された通帳Ｂに印字を行う。図９に示すように、本変形例の通帳記帳部４２は、入排出口４０２と、搬送部４０４と、印字部４０６と、検出部４０８と、異物引出部４２４とを主に有する。なお、ここでは、上述の通帳記帳部４０と共通部分の説明を省略し、上述の通帳記帳部４０と異なる部分のみ説明する。
【００６５】
検出部４０８は、第１の実施形態と同様に、入排出口４０２から挿入された通帳Ｂの前端部Ｂ１から後端部Ｂ２までの長さを検出するセンサである。検出部４０８は、通帳Ｂを上下方向から挟むように設けられた複数のセンサ対４２０を有し、詳細には、図９に示すように、入排出口４０２から印字部４０６に向かって搬送部４０４に沿って、センサ対４２０ａとセンサ対４２０ｂとセンサ対４２０ｃとが順次設けられている。より具体的には、入排出口４０２側のセンサ対４２０ａは、フィードローラ対４１４ａの後ろに設けられており、中央のセンサ対４２０ｂは、フィードローラ対４１４ｂの前に設けられており、印字部４０６側のセンサ対４２０ｃは、フィードローラ対４１４ｃの後ろに設けられている。
【００６６】
異物引出部４２４は、第１の実施形態と同様に、搬送中の通帳Ｂに挟まれた異物Ｃを通帳Ｂから引き出すための機能部である。本変形例の異物引出部４２４は、第１の実施形態と同様に、回転軸４２２を中心に回動し、搬送中の通帳Ｂの印字面１０２に当接するように付勢されたブレード状の部材である。より具体的には、本変形例の通帳記帳部４２においては、２つの異物引出部４２４ａ、４２４ｂが搬送路４０４ａに沿って設けられている。詳細には、一方の異物引出部４２４ａは、フィードローラ対４１４ａとフィードローラ対４１４ｂとの間に設けられ、他方の異物引出部４２４ｂは、フィードローラ対４１４ｃの後ろに設けられている。
【００６７】
次に、本変形例に係る通帳記帳部４２の動作について説明する。なお、以下の説明においては、通帳Ｂに挟まれた異物Ｃは、検出部４０８が当該異物Ｃも通帳Ｂを構成する部分であると判断して当該通帳Ｂの外形サイズを検出した場合に、検出された当該通帳Ｂの外形サイズが所定の範囲内であると認識される程度に、通帳Ｂの後端部Ｂ２から少しだけはみ出している状態にある。
【００６８】
まず、通帳Ｂが入排出口４０２に挿入されると、第１の実施形態の通帳記帳部４０と同様に、フィードローラ対４１４ａは、通帳Ｂを上下方向から挟む込みながら回動し通帳Ｂを印字部４０６へ搬送する。そして、通帳Ｂの後端部Ｂ２が、センサ対４２０ｂ、フィードローラ対４１４ｂ、及びフィードローラ対４１４ｃの間を通過し、さらに、異物引出部４２４ｂの下を通過する。なお、通帳Ｂに挟まれた異物Ｃは、通帳Ｂとともに異物引出部４２４ｂの下を通過する。この際、センサ対４２０ｃが通帳Ｂの通過を検出した場合には、制御部７０は、当該検出に基づいて、搬送部４０４のフィードローラ対４１４ｂ及びフィードローラ対４１４ｃの回転方向をこれまでの回転方向とは逆方向に回転させて、通帳Ｂを入排出口４０２に向かって搬送する。
【００６９】
通帳Ｂが入排出口４０２に向かって搬送されることにより、異物引出部４２４ｂの当接端部は、通帳Ｂの後端部Ｂ２からはみ出した異物Ｃと当接するようになる。すなわち、異物Ｃは、異物引出部４２４ｂの当接端部と搬送路４０４ａとの間に挟まれることとなる。異物Ｃは、異物引出部４２４ｂの当接端部と搬送路４０４ａとの間に挟まれているため、通帳Ｂの入排出口４０２に向かっての搬送が継続する中で、通帳Ｂの後端部Ｂ２から大きく引き出される。その結果、センサ対４２０ｃは、通帳Ｂの通過により通帳Ｂを検出しなくなった後にも、引き出された異物Ｃを継続して検出することとなり、センサ対４２０ｃは、後端部Ｂ２から大きくはみ出した異物Ｃも通帳Ｂを構成する部分であるとして、実際の通帳Ｂの前端部Ｂ１から後端部Ｂ２までの長さよりも長い誤った通帳Ｂの長さを検出する。従って、引き出された異物Ｃにより、検出された通帳Ｂの長さは上記所定の範囲外となるため、センサ対４２０ｃは、第１の実施形態と同様に、通帳Ｂが異物Ｃを挟んでいることを認識することができる。
【００７０】
なお、異物Ｃが通帳Ｂの前端部Ｂ１からはみ出るように通帳Ｂに挟まれていた場合には、本変形例に係る通帳記帳部４２に設けられた異物引出部４２４ａにより、第１の実施形態と同様に、当該異物Ｃは引き出されることとなる。このように、本変形例によれば、２つの異物引出部４２４ａ、４２４ｂを設けることにより、通帳Ｂの前端部Ｂ１側に挟まれた異物Ｃも通帳Ｂの後端部Ｂ２側に挟まれた異物Ｃも検出し、印字位置不良等の障害の発生を避けることができる。
【００７１】
＜＜変形例４＞＞
また、制御部７０によって、搬送部４０４の通帳Ｂの搬送を制御することにより、通帳Ｂに挟まれた異物Ｃをより確実に検出するようにしてもよい。そこで、以下に説明する変形例４においては、通帳Ｂの搬送を制御して通帳Ｂに挟まれた異物Ｃをより確実に検出することができる通帳記帳部４０について説明する。なお、本変形例に係る通帳記帳部４０及び異物引出部４１０の構成は、上述の第１の実施形態の通帳記帳部４０及び異物引出部４１０と共通であり、従って、第１の実施形態の通帳記帳部４０及び異物引出部４１０の説明及び図４から図７を参照し得る。
【００７２】
例えば、本変形例においては、制御部７０は、通帳Ｂが異物引出部４１０の下方を通過する際には、通帳Ｂの搬送速度を変化させるように搬送部４０４を制御してもよい。より具体的には、制御部７０は、通帳Ｂの後端部Ｂ２がセンサ対４２０ｂを通過してから通帳Ｂの前端部Ｂ１がセンサ対４２０ｂを通過するまでにおける通帳Ｂの搬送速度を、その前後に比べて遅くなるように制御する。このように通帳の搬送速度を遅くすることにより、異物Ｃを、異物引出部４１０の当接端部４１０ａと搬送路４０４ａとの間により確実に挟み込み、通帳Ｂから引き出すことができる。
【００７３】
また、本変形例においては、制御部７０は、通帳Ｂの前端部Ｂ１が異物引出部４１０の下方を複数回通過するように、搬送部４０４を制御してもよい。このように通帳Ｂの前端部Ｂ１が異物引出部４１０の下方を複数回通過することにより、異物Ｃが異物引出部４１０の当接端部４１０ａに当接する回数を増加させ、より確実に異物Ｃを挟み込んで引き出すことができる。
【００７４】
＜＜第２の実施形態＞＞
上述の第１の実施形態では、通帳記帳部４０にブレード状の部材である異物引出部４１０を設け、当該異物引出部４１０により通帳Ｂに挟まれた異物Ｃを引き出していた。一方、以下に説明する第２の実施形態においては、上述のような異物引出部４１０を設けるのではなく、制御部７０によって通帳Ｂを搬送するフィードローラ対４１４の回転方向を制御することにより、フィードローラ対４１４に、異物Ｃを引き出す異物引出部としての機能を担わせ、異物Ｃを通帳Ｂから引き出す。このようにすることで、少ない部品を用いて、印字位置不良等の障害の発生を避けることができる。
【００７５】
なお、本実施形態においては、異物引出部４１０以外の通帳記帳部４４の構成は、上述の第１の実施形態の通帳記帳部４０と共通であり、従って、第１の実施形態の通帳記帳部４０の説明を参照し得る。したがって、ここでは、本実施形態に係る通帳記帳部４４の構成については説明を省略する。ただし、本実施形態においては、搬送部４０４の有するフィードローラ対４１４ａ、４１４ｂに関しては、入排出口４０２側のフィードローラ対４１４ａの搬送力が、中央に位置するフィードローラ対４１４ｂと比べて小さくなるように設定されることが好ましい。例えば、フィードローラ対４１４ａの通帳Ｂを挟み込む面の摩擦力が小さくなるように、フィードローラ対４１４ａを構成するローラ４１２の表面の材料を選択することが好ましく、もしくは、フィードローラ対４１４ａの搬送力が小さくなるように、フィードローラ対４１４ａを構成するローラ４１２にトルクリミッタを設けることが好ましい。
【００７６】
＜通帳記帳部４４の動作＞
以下に、図１０を参照しながら、本実施形態に係る通帳記帳部４４の動作について説明する。図１０は、本実施形態に係る通帳記帳部４４を説明するための説明図であって、詳細には、通帳記帳部４４の概略右側面図である。なお、以下の説明においても、通帳Ｂに挟まれた異物Ｃは、検出部４０８が当該異物Ｃも通帳Ｂを構成する部分であると判断して当該通帳Ｂの外形サイズを検出した場合に、検出された当該通帳Ｂの外形サイズが所定の範囲内であると認識される程度に、通帳Ｂの前端部Ｂ１から少しだけはみ出している状態にある。
【００７７】
まず、本実施形態に係る通帳記帳部４４に通帳Ｂが挿入されると、第１の実施形態の通帳記帳部４０と同様に、フィードローラ対４１４ａは、通帳Ｂを上下方向から挟む込みながら回動し、通帳Ｂを印字部４０６へ搬送する。そして、通帳Ｂの後端部Ｂ２がフィードローラ対４１４ｂに到達し、フィードローラ対４１４ｂが通帳Ｂを上下方向から挟み込むようになると、通帳Ｂの後端部Ｂ２の通過がセンサ対４２０ｂによって検出され、当該検出に基づいて、制御部７０は、入排出口４０２側のフィードローラ対４１４ａの回転方向をこれまでの回転方向（順回転）とは逆方向（逆回転）に回転させるように切替制御を行う。従って、フィードローラ対４１４ａの回転方向は、フィードローラ４１４ｂの回転方向を逆になる。そして、フィードローラ対４１４ａの搬送力がフィードローラ対４１４ｂと比べて小さくなるように設定されているため、図１０に示すように、順回転を維持するフィードローラ対４１４ｂによって通帳Ｂは印字部４０６へ搬送され、一方、逆回転を始めたフィードローラ対４１４ａによって、通帳Ｂの前端部Ｂ１からはみ出した異物Ｂは、巻き取られ、通帳Ｂから引き出される。
【００７８】
その結果、センサ対４２０ａは、通帳Ｂの通過により通帳Ｂを検出しなくなった後にも、引き出された異物Ｃを継続して検出することとなり、センサ対４２０ａは、前端部Ｂ１から大きくはみ出した異物Ｃも通帳Ｂを構成する部分であるとして、実際の通帳Ｂの前端部Ｂ１から後端部Ｂ２までの長さよりも長い誤った通帳Ｂの長さを検出する。従って、引き出された異物Ｃにより、検出された通帳Ｂの長さは上記所定の範囲外となるため、センサ対４２０ｂは、通帳Ｂが異物Ｃを挟んでいることを検出することができる。このように、本実施形態によれば、少ない部品を用いて、通帳Ｂに挟まれた異物Ｃを検出し、印字位置不良等の障害の発生を避けることができる。
【００７９】
なお、上述した実施形態においては、通帳Ｂは、通帳Ｂの左右方向が入排出口４０２の横幅の方向に一致するようにして入排出口４０２に挿入されるものとして説明したが、本実施形態においては、通帳Ｂの挿入方向はこれに限定されるものではない。例えば、通帳Ｂは、通帳Ｂの前後方向が入排出口４０２の横幅に一致するように挿入されていてもよい。この場合、例えば、検出部４０８は、通帳Ｂの左右方向の長さを検出し、異物引出部４１０は、通帳Ｂの左右端部からはみ出るように通帳Ｂに挟まれた異物Ｃを引き出すようにしてよい（図１参照）。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１０    取引装置
２０    入力表示部
３０    カードリーダ部
４０、４２、４４    通帳記帳部
５０    紙幣入出金部
６０    硬貨入出金部
７０    制御部
８０    通信部
１００    表紙
１０２    印字面
１０４    紙状媒体
４０２    入排出口
４０４    搬送部
４０４ａ    搬送路
４０６    印字部
４０８    検出部
４１０、４２４、４２４ａ、４２４ｂ、５１０、６１０    異物引出部
４１０ａ、５１０ａ    当接端部
４１２    ローラ
４１４、４１４ａ、４１４ｂ、４１４ｃ    フィードローラ対
４１６    印字ヘッド
４２０、４２０ａ、４２０ｂ、４２０ｃ    センサ対
４２２    回転軸
Ｂ    通帳
Ｂ１    前端部
Ｂ２    後端部
Ｃ    異物
【図１】
0006696217.tif 000002
【図２】
0006696217.tif 000003
【図３】
0006696217.tif 000004
【図４】
0006696217.tif 000005
【図５】
0006696217.tif 000006
【図６】
0006696217.tif 000007
【図７】
0006696217.tif 000008
【図８】
0006696217.tif 000009
【図９】
0006696217.tif 000010
【図１０】
0006696217.tif 000011